(57)【要約】【課題】温度上昇に伴う充電の停止のリスクを低減させる記録装置を提供する。【解決手段】複数の機能を有し充電可能なバッテリを含むデバイスが脱着可能な記録装置において、ジョブが実行され、且つバッテリが記録装置から充電されている途中の状態において、ジョブの実行の進行に伴って、デバイスの機能を制限する。【選択図】図７
2019199042.tif 000002
【特許請求の範囲】
【請求項１】
記録装置であって、
前記記録装置から充電可能なバッテリを含み、前記記録装置と脱着可能であり複数の機能を有するデバイスと、
ジョブを実行する実行手段と、
前記実行手段により前記ジョブが実行され、且つ前記バッテリが前記記録装置から充電されている途中の状態において、前記ジョブの実行の進行に伴って、前記デバイスの機能を制限する制限手段と、
を備えることを特徴とする記録装置。
【請求項２】
前記制限手段は、前記ジョブの実行の進行に伴って、前記デバイスが実行可能な複数の機能を順に制限していくことを特徴とする請求項１に記載の記録装置。
【請求項３】
前記制限手段は、前記ジョブの実行の進行に伴って、前記ジョブとの関連性が低い機能から順に制限していくことを特徴とする請求項２に記載の記録装置。
【請求項４】
前記制限手段は、前記ジョブの実行の進行に伴って、消費電力が大きい機能から順に制限していくことを特徴とする請求項３に記載の記録装置。
【請求項５】
前記デバイスは表示装置であることを特徴とする請求項１乃至４のいずれか１項に記載の記録装置。
【請求項６】
前記制限手段は、前記ジョブの実行の進行に伴って、前記デバイスの表示機能を優先的に制限することを特徴とする請求項５に記載の記録装置。
【請求項７】
前記バッテリの残容量が閾値以下であるか否かを判定する判定手段、をさらに備え、
前記判定手段により前記バッテリの残容量が前記閾値以下であると判定された場合に、前記制限手段は、前記ジョブの実行の進行に伴って、前記デバイスの機能を制限することを特徴とする請求項１乃至６のいずれか１項に記載の記録装置。
【請求項８】
前記ジョブは、プリントジョブであることを特徴とする請求項１乃至７のいずれか１項に記載の記録装置。
【請求項９】
前記制限手段は、前記ジョブの実行による印刷枚数が所定の枚数に達すると、前記デバイスの機能を制限することを特徴とする請求項８に記載の記録装置。
【請求項１０】
記録装置であって、
前記記録装置から充電可能なバッテリを含み、前記記録装置と脱着可能であり表示機能を含む複数の機能を有するデバイスと、
ジョブを実行する実行手段と、
前記実行手段により前記ジョブが実行され、且つ前記バッテリが前記記録装置から充電されている途中の状態において、前記ジョブの実行の進行に伴って、前記デバイスの表示機能を制限する制限手段と、
を備えることを特徴とする記録装置。
【請求項１１】
複数の機能を有し充電可能なバッテリを含むデバイスが脱着可能な記録装置において実行される制御方法であって、
ジョブを実行する実行工程と、
前記実行工程において前記ジョブが実行され、且つ前記バッテリが前記記録装置から充電されている途中の状態において、前記ジョブの実行の進行に伴って、前記デバイスの機能を制限する制限工程と、
を有することを特徴とする制御方法。
【請求項１２】
表示機能を含む複数の機能を有し充電可能なバッテリを含むデバイスが脱着可能な記録装置において実行される制御方法であって、
ジョブを実行する実行工程と、
前記実行工程において前記ジョブが実行され、且つ前記バッテリが前記記録装置から充電されている途中の状態において、前記ジョブの実行の進行に伴って、前記デバイスの表示機能を制限する制限工程と、
を有することを特徴とする制御方法。
【発明の詳細な説明】
【技術分野】
【０００１】
本発明は、バッテリを含むデバイスを脱着可能な記録装置、および制御方法に関する。
【背景技術】
【０００２】
近年、プリンタは小型化、低コストが求められており、操作部を内蔵させず、タブレットＰＣなどを操作部代わりに接続できるようにしたものがある。その場合、操作パネルとしてのタブレットＰＣと記録装置の間では、ＵＳＢケーブル等で接続され、通信や電源供給を行っている。この操作パネルには記録装置に供給されている電源入力が突然切れてしまった場合に操作パネルに搭載されているメモリの情報が保存できなくなるのを防ぐために二次電池が搭載されており、記録装置は二次電池に充電をしながら記録動作を行うようになっている。二次電池が搭載された操作パネルを従来の小型のプリンタ装置に一体的に装着したときに、操作パネルと駆動系のモータがスペース的に近くになる可能性がある。そのため、二次電池の充電中にタブレット内で生じる温度上昇以外にも、記録装置が記録中に駆動するモータの温度上昇による発熱の影響を受けることになる。
【０００３】
特許文献１には、充電中に二次電池（バッテリー）の温度をサーミスタで監視し、温度がある一定の値を超えると充電を停止し、温度が一定の値へ下がると充電を開始する技術が開示されている。
【先行技術文献】
【特許文献】
【０００４】
【特許文献１】特開２００７−１５１３５０号公報
【発明の概要】
【発明が解決しようとする課題】
【０００５】
従来、二次電池へ充電する制御方法として、温度の上昇を検出し、温度が上がると充電を停止して温度が上がらないように制御する構成が知られている。しかしながら、二次電池への充電を停止してしまうと、それまでの情報をメモリに保存せずに突然消えてしまったり、データ通信が途切れてしまったりするため、記録が継続できないおそれがある。
【０００６】
本発明の目的は、このような従来の問題点を解決することにある。上記の点に鑑み、本発明は、温度上昇に伴う充電の停止のリスクを低減させる記録装置、および制御方法を提供することを目的とする。
【課題を解決するための手段】
【０００７】
上記課題を解決するため、本発明に係る記録装置は、記録装置であって、前記記録装置から充電可能なバッテリを含み、前記記録装置と脱着可能であり複数の機能を有するデバイスと、ジョブを実行する実行手段と、前記実行手段により前記ジョブが実行され、且つ前記バッテリが前記記録装置から充電されている途中の状態において、前記ジョブの実行の進行に伴って、前記デバイスの機能を制限する制限手段とを備えることを特徴とする。
【発明の効果】
【０００８】
本発明によれば、温度上昇に伴う充電の停止のリスクを低減させることができる。
【図面の簡単な説明】
【０００９】
【図１】記録システムの構成を示す図である。
【図２】インクジェット記録装置の内部構成を示す図である。
【図３】インクジェット記録装置の制御系のブロック構成を示す図である。
【図４】操作パネルに電源を供給するための構成を示す図である。
【図５】操作パネルの機能の一覧を示す図である。
【図６】印刷枚数に対する温度上昇値を表す図である。
【図７】操作パネルの機能制限の処理を示すフローチャートである。
【図８】温度変化を示す図である。
【図９】操作パネルの機能制限の処理を示すフローチャートである。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
図１は、本実施形態における記録システムの概略構成例を示す図である。図１に示す記録システムは、用紙等の記録媒体に対して記録（画像形成）を行うインクジェット記録装置１２０と、インクジェット記録装置１２０との間で種々のデータの授受を行うホストＰＣ１００とを含む。ホストＰＣ１００とインクジェット記録装置１２０は、通信ケーブル１１０を介して相互に通信可能に接続されている。図１では、通信ケーブル１１０として示しているが、有線や無線によるＬＡＮであっても良い。ホストＰＣ１００は、記録対象の画像データに対応した描画コマンドや、プリントジョブ等、所要のコマンドをインクジェット記録装置１２０へと送信することにより、記録その他の所要の動作が行われる。また、インクジェット記録装置１２０は、エラー情報などのプリンタステータスをホストＰＣ１００に送信することにより、ホスト装置１００は、インクジェット記録装置１２０の状態を認識する。
【００１２】
ホストＰＣ１００は、一般的なパーソナルコンピュータ（ＰＣ）の構成を有するものとして実現される。即ち、本体１０１と、ＣＲＴあるいはＬＣＤなどの表示装置１０２と、入力部としてのキーボード１０３およびポインティングデバイス１０４を有する。インクジェット記録装置１２０の前面には、ユーザによる電源ＯＮ／ＯＦＦの操作を受け付ける電源スイッチ１２２と、ユーザからの所要の操作を受け付けるとともに、各種画面やメッセージを表示するための操作パネル１２１とが設けられている。インクジェット記録装置１２０は、表示部を内蔵させておらず、タブレット端末などを表示部代わりにインクジェット記録装置１２０に脱着可能である。その場合、そのタブレット端末とインクジェット記録装置１２０の間は、ＵＳＢケーブル等で接続され、通信や電源供給が行われる。
【００１３】
インク交換や用紙の詰まりを解除する等のメンテナンスを行う場合に開放される本体ドア１２１が、インクジェット記録装置１２０の前面に設けられている。インクジェット記録装置１２０の一側面には給紙口１２４が設けられ、デッキ１２３から給紙口１２４に挿入される例えば所定サイズのカット紙形態の記録媒体１２５は、反対側の側面に設けられた排紙口１２７に向けて矢印方向に、搬送ローラ１２６を駆動源として搬送される。
【００１４】
図２は、インクジェット記録装置１２０の内部構成を説明するための模式的な断面図である。インクジェット記録装置１２０は、主に下記の各部を備えている。用紙検知センサ２０１は、記録媒体１２５が給紙口１２４のデッキ１２３に置かれているか否かを検知する。搬送モータ２０２は、搬送ローラ１２６を回転駆動する。搬送ベルト２０３は、搬送ローラ１２６の駆動により、記録媒体１２５を用紙搬送方向に搬送する。ＴＯＦ（Ｔｏｐ Ｏｆ Ｆｏｒｍ）センサ２０４は、記録媒体１２５の先端位置を検知する。記録ヘッド昇降モータ２０５は、記録ヘッド２０６を非記録時における退避位置と、記録時における記録位置との間で昇降させる。
【００１５】
インクタンクユニット２０７は、記録に用いられるインクを記録ヘッド２０６に供給する。ドアセンサ２０８は、本体ドア１２１の開閉を検知する。なお、インクタンクユニット２０７は、記録ヘッド２０６とチューブ（不図示）を介して接続されており、不図示の回復モータの駆動により記録ヘッド２０６へインクを供給する。なお、図２では、記録ヘッドが１色の例を示しているが、カラー画像の記録を行うために、Ｂｋ（黒）、Ｃ（シアン）、Ｍ（マゼンタ）、Ｙ（イエロー）の４色に対応した記録ヘッドを用いるものでもよいし、さらに特色等、他のインク色のインクタンクを備える構成でも良い。
【００１６】
記録媒体１２５がインクジェット記録装置１２０の給紙口のデッキ１２３に置かれ、用紙検知センサ２０１により検知されると、記録ヘッド２０６は記録位置に移動する。そして、搬送モータ２０２が駆動することで、搬送ベルト２０３により１枚の記録媒体１２５が図中矢印で示される用紙搬送方向に給送される。そして、記録媒体１２５がＴＯＦセンサ２０４により検知されると、一旦、記録媒体１２５の搬送を停止し、後述するイメージバッファＲＡＭ３０５に画像データを展開する。画像展開が終了すると、再び記録媒体１２５を搬送させ、記録ヘッド２０６に対向する記録位置において、画像データに基づいて記録ヘッド２０６のノズルからインク滴を吐出させることで、記録媒体１２５の表面に画像が記録される。
【００１７】
図３は、インクジェット記録装置１２０の制御系のブロック構成を示す図である。インクジェット記録装置１２０全体を制御するメインコントローラ３０１は、入力データの格納部、データ制御部、設定部などとしての機能を備える。メインコントローラ３０１は、外部のホストＰＣ１００と通信し、データやジョブ等の信号の授受を行なう。ＣＰＵ３０２は、例えばマイクロコントローラに、特定の装置に特化した専用機能回路を混在させた半導体チップとして構成され、メインコントローラ３０１全体を制御するプロセッサである。ＲＯＭ３０３には制御プログラムなどが格納され、それらのプログラムに従って、メインコントローラ３０１がＲＡＭ３０４を作業用メモリとして用いてプログラムを実行する。イメージバッファＲＡＭ３０５は、外部のホストＰＣ１００から送信されてきた記録対象の画像データを格納する。記録ヘッド駆動回路３０８は、記録ヘッド２０６に設けられた吐出エネルギー発生素子を駆動する。本実施形態においては、吐出エネルギー発生素子として電気熱変換素子（ヒータ）が用いられている。イメージバッファＲＡＭ３０５に格納されたビットマップ形式の画像データに基づいて、記録ヘッド駆動回路３０８が記録ヘッド２０６に設けられた吐出エネルギー発生素子を駆動することにより、記録ヘッド２０６のノズルからインク滴が吐出される。キャリッジモータ駆動部３０６は、記録ヘッド昇降モータ２０５を駆動する。キャリッジモータ駆動部３０６は、メインコントローラ３０１によって制御される。センサ回路３０７は、用紙検知センサ２０１、ＴＯＦセンサ２０４、ドアセンサ２０８等の種種のセンサからの検知信号をＣＰＵ３０２に出力する。
【００１８】
本実施形態では、インクジェット記録装置１２０の操作パネル１２１として、カラー表示であり、タッチパネルによる操作が可能であるタブレット型表示デバイス（以下、単にタブレットという）が用いられる。このタブレットには、インクジェット記録装置１２０に内蔵されている電源３０９から電源を供給するための電源ケーブル３１１と、ＵＳＢケーブル３１０とが接続されている。ＵＳＢケーブル３１０は、ＣＰＵ３０２と通信するための通信ケーブルである。例えば、ＣＰＵ４０１は、ＵＳＢケーブル３１０を介してＣＰＵ３０２から印刷開始の情報や印刷枚数の情報を取得する。以下、操作パネル１２１をタブレット１２１とも呼ぶ。
【００１９】
本実施形態において、タブレット１２１は、インクジェット記録装置１２０の表示部として動作するよう構成されている。例えば、タブレット１２１は、ＣＰＵ、メモリコントローラ、グラフィックプロセッサ、充電コントローラ、等のような機能ブロックを備えている。また、タブレット１２１は、ネットワーク上で無線通信が可能となるような適切な通信装置を含んでいても良い。タブレット１２１は２つの電源供給、即ち、タブレット１２１側にあるバッテリと、インクジェット記録装置１２０側にある電源３０９とから電源が供給可能であり、それらは充電制御回路によって切替可能である。つまり、タブレット１２１のバッテリは、インクジェット記録装置１２０から充電可能に構成されている。
【００２０】
図４は、タブレット１２１に電源を供給するための電源供給回路の構成を示す図である。タブレット１２１のＣＰＵ４０１は、メインコントローラ３０１に接続され、信号の授受を行う機能（機能３とする）を有するデバイスであり、例えばマイクロコントローラに、特定の装置に特化した専用機能回路を混在させた半導体チップとして構成される。また、ＣＰＵ４０１は、タブレット１２１全体を制御し、演算処理を行う機能（機能１とする）を有する。また、ＣＰＵ４０１は、ＣＰＵ３０２の制御下で動作するようにしても良い。ＲＯＭ４０３には、制御プログラムなどが格納され、それらのプログラムに従って、ＣＰＵ４０１が動作する。不揮発性ＲＡＭ４０４は、タブレット１２１の動作状態を保存する（機能２とする）ためのメモリとして用いられる。また、ＲＯＭ４０３は、本実施形態で用いる図５や図６のテーブルを記憶する。ＬＣＤ４０５は、インクジェット記録装置１２０の表示部としてインクジェット記録装置１２０の状態や各種情報を表示する機能（機能５とする）の実行の際に用いられる。バッテリ４０２は、インクジェット記録装置１２０に搭載されている電源３０９とは別に、タブレット１２１の内部に構成されている。不図示のセンサによりバッテリ４０２の残容量が検知され、その検知結果は、ＣＰＵ４０１に出力される。
【００２１】
タブレット１２１がインクジェット記録装置１２０の制御基板３０１にＵＳＢケーブル３１０及び電源ケーブル３１１を介して接続されている場合、タブレット１２１では、充電制御回路４０６によってバッテリ４０２への充電制御が行われる（機能６とする）。タブレット１２１には、無線ＬＡＮチップであるＷｉＦｉ（登録商標）  Ｍｏｄｕｌｅ４０７によってインターネットに接続する機能（機能４とする）が搭載されており、インクジェット記録装置１２０の印刷状態の表示機能（機能５）以外にも、インターネット上に存在する動画などを検索することによって、例えばインクジェット記録装置１２０使用方法を示した直接記録動作とは関係のない動画などをダウンロードして再生することができる。
【００２２】
インクジェット記録装置１２０の電源が切断されると、インクジェット記録装置１２０の電源３０９は、装置内部への電源供給を停止する。そのため、タブレット１２１は、ユーザの意図しないタイミングで電源３０９からの電源供給が遮断されると、それまでの動作していたデータを不揮発性ＲＡＭ４０４に保存できなくなってしまう。従って、バックアップ用の電源としてバッテリ４０２からの電源供給に切り替え、必要な情報を不揮発性ＲＡＭ４０４に保存してから、タブレット２００１自身の電源を切断するように制御される（シャットダウン処理）。
【００２３】
図５は、タブレット１２１の機能と、温度上昇値との対応を示す図である。図５は、タブレット１２１が実行可能な複数の機能１〜機能６のそれぞれが実行されるとき、各必要な電力（消費電力）によって、二次電池であるバッテリ４０２が受ける温度上昇値がどれくらいになるかを示している。
【００２４】
例えば、バッテリ４０２に充電している時は、機能６が実行されており、そのときの温度上昇値は７℃である。つまり、タブレット１２１の環境温度が２５℃である場合は、ＣＰＵ３０２は、バッテリ４０２の温度は、７℃＋２５℃＝３２℃まで上昇すると認識する。また、機能６に加えて機能１がさらに実行されている場合には、ＣＰＵ３０２は、バッテリ４０２の温度は、７℃＋２５℃＋１．５℃＝３３．５℃まで上昇すると認識する。図５に示す温度上昇値は、図２に示すような配置で、タブレット１２１が使用された場合の実験データに基づいて予め決定される。従って、タブレット１２１の搭載位置に応じて、温度上昇値は機能ごとに他の値をとり得る。
【００２５】
図６は、搬送モータ２０２の印刷枚数に対する温度上昇値を示す図である。搬送モータ２０２は、印刷枚数が多くなるほど、その動作時間が長くなる。その結果、図６に示すように、搬送モータ２０２自身の発熱による温度上昇値は印刷枚数に比例して大きくなる。本実施形態では、図５や図６のテーブルは、タブレット１２１のＲＯＭ４０３に記憶されているものとするが、メインコントローラ３０１のＲＯＭ３０３に記憶され、印刷が開始されると、ＣＰＵ３０２によりタブレット１２１に送信されるようにしても良い。
【００２６】
以下、二次電池であるバッテリ４０２の充電量が少ない場合に、インクジェット記録装置１２０が記録対象の画像データを受信した場合の動作について説明する。
【００２７】
図７は、バッテリ４０２の充電量（残容量）が閾値以下となった場合にインクジェット記録装置１２０が画像データを受信した場合の処理を示すフローチャートである。図７の処理は、例えば、ＣＰＵ４０１がＲＯＭ４０３に記憶されたプログラムをＲＡＭ４０４にロードして実行することにより実現される。ホストＰＣ１００から印刷開始の命令を受信すると、ＣＰＵ３０２は印刷開始をＣＰＵ４０１に通知し、ＣＰＵ４０１は、ＣＰＵ３０２から印刷枚数の情報を取得し、図６の情報に従って、以下の処理を行う。
【００２８】
印刷が開始されると、Ｓ７０１において、ＣＰＵ４０１は、バッテリ４０２の充電量が閾値以下であるか否かを判定する。ここで、充電量が閾値以下であると判定された場合、Ｓ７０２に進み、閾値より多いと判定された場合、後述する図９のＳ９０１に進む。
【００２９】
充電量が閾値以下であると判定された場合、ＣＰＵ４０１は、印刷枚数のカウント情報をＣＰＵ３０２から取得する。そして、Ｓ７０２において、ＣＰＵ４０１は、印刷枚数が２０枚に達したか否かを判定する。印刷枚数が２０枚に達していないと判定された場合、Ｓ７０２の処理を繰り返す。一方、印刷枚数が２０枚に達したと判定された場合、Ｓ７０３において、ＣＰＵ４０１は、タブレット１２１の状態の表示を行う機能（機能５）を制限する。その結果、タブレット１２１の充電に必要な電力が低減され、タブレット１２１自身の発熱量が抑制される。
【００３０】
続いて、ＣＰＵ４０１は、印刷枚数のカウント情報をＣＰＵ３０２から取得する。そして、Ｓ７０４において、ＣＰＵ４０１は、印刷枚数が３５枚に達したか否かを判定する。印刷枚数が３５枚に達していないと判定された場合、Ｓ７０４の処理を繰り返す。一方、印刷枚数が３５枚に達したと判定された場合、Ｓ７０５において、ＣＰＵ４０１は、タブレット１２１のインターネット接続を行うＷｉＦｉ機能（機能４）を制限する。その結果、タブレット１２１の充電に必要な電力がより低減され、タブレット１２１自身の発熱量がより抑制される。
【００３１】
続いて、ＣＰＵ４０１は、印刷枚数のカウント情報をＣＰＵ３０２から取得する。そして、Ｓ７０６において、ＣＰＵ４０１は、印刷枚数が５０枚に達したか否かを判定する。印刷枚数が５０枚に達していないと判定された場合、Ｓ７０６の処理を繰り返す。一方、印刷枚数が５０枚に達したと判定された場合、Ｓ７０７において、ＣＰＵ４０１は、タブレット１２１のデータ送受信を行う機能（機能３）、メモリ保存を行う機能（機能２）、課金情報等を計算する機能（機能１）を制限する。その結果、タブレット１２１の充電に必要な電力がより低減され、タブレット１２１自身の発熱量がより抑制される。
【００３２】
図８は、上記のフローが行われたことによる温度の変化を表す図である。図８では、温度配分８０１は搬送モータ２０２の発熱分を表し、温度配分８０２は環境温度分を表す。温度配分８０３は機能５の実行による温度上昇分を表し、温度配分８０４は機能４の実行による温度上昇分を表す。温度配分８０５は機能３の実行による温度上昇分を表し、温度配分８０６は機能２の実行による温度上昇分を表す。温度配分８０７は機能１の実行による温度上昇分を表し、温度配分８０８はバッテリ４０２への充電による温度上昇分を表す。また、図８の横軸は、時間を表している。従って、図８から、ジョブの実行が進行して印刷枚数が増えていくにつれ、タブレット１２１の機能が順次制限され、その結果、タブレット１２１のバッテリ４０２の温度が５０℃以下に抑制されていることが分かる。
【００３３】
このように、本実施形態では、印刷時間が経過して印刷枚数が増えていっても、タブレット１２１内部にあるバッテリ４０２に及ぼす温度上昇の影響を抑えることができる。その結果、サーミスタ等により温度上昇を検知して充電を停止するように構成されていたとしても、充電を停止させてしまう機会を低減させることができる。
【００３４】
本実施形態では、図８に示すように、５０℃以下に抑制されるよう制御されているが、特に５０℃に限られない。例えば、バッテリ４０２の仕様に合わせて、例えば、４５℃以下に抑制するようタブレット１２１の機能制限を実行するようにしても良い。
【００３５】
再び、図７を参照する。Ｓ７０７まででタブレット１２１の機能の実行制限が行われ、その後、Ｓ７０８において、ＣＰＵ４０１は、温度上昇値が閾値以上であるか否かを判定する。閾値とは、例えば１５℃である。ここで、閾値未満であると判定された場合には、Ｓ７０８の処理を繰り返す。一方、閾値以上であると判定された場合、Ｓ７０９において、ＣＰＵ４０１は、記録動作を停止するようＣＰＵ３０２に要求し、その後、図７の処理を終了する。その際に、ＬＥＤ等によって温度上昇の警告を通知するようにＣＰＵ３０２に合わせて要求するようにしても良い。Ｓ７０９で記録動作を停止するようＣＰＵ３０２に要求することにより、不慮の充電の停止によるそれまでの情報のメモリへの保存ができなくなるといった事態を回避することができる。
【００３６】
図７のＳ７０３、Ｓ７０５、Ｓ７０７では、タブレット１２１の機能の実行制限が行われた。これらの機能の制限順序として、画像の記録への関連性が低いこと、バッテリ４０２に及ぼす温度上昇の影響量が大きいこととに基づいて決定する。つまり、Ｓ７０３での状態表示の制限が、Ｓ７０３、Ｓ７０５、Ｓ７０７の各制限対象の機能のうち、最も、画像の記録への関連性が低く、且つ、バッテリ４０２に及ぼす温度上昇の影響量が大きい。そのような機能から優先的に実行を制限していくことによって、充電途中のバッテリ４０２に及ぼす温度上昇の影響を効果的に抑えることができる。
【００３７】
図９は、バッテリ４０２の充電量が閾値より多い場合にインクジェット記録装置２００２が記録対象の画像データを受信した場合の処理を示すフローチャートである。図９の処理は、例えば、ＣＰＵ４０１がＲＯＭ４０３に記憶されたプログラムをＲＡＭ４０４にロードして実行することにより実現される。
【００３８】
ホストＰＣ１００から印刷開始の命令を受信して印刷が開始されると、ＣＰＵ３０２は印刷開始をＣＰＵ４０１に通知し、ＣＰＵ４０１は、Ｓ９０１において、タブレット１２１に搭載されているバッテリ４０２への充電機能である機能６を停止する。そして、ＣＰＵ４０１は、印刷枚数のカウント情報をＣＰＵ３０２から取得する。そして、Ｓ９０２において、ＣＰＵ４０２は、温度上昇値が閾値以上であるか否かを判定する。閾値とは、例えば１０℃である。ここで、閾値未満であると判定された場合には、Ｓ９０２の処理を繰り返す。一方、閾値以上であると判定された場合、Ｓ９０３において、ＣＰＵ４０１は、記録動作を停止するようＣＰＵ３０２に要求し、その後、図９の処理を終了する。その際に、ＬＥＤ等によって温度上昇の警告を通知するようにＣＰＵ３０２に合わせて要求するようにしても良い。
【００３９】
図９の処理の場合、バッテリ４０２の充電量が閾値より多いので、Ｓ９０１で充電機能を停止しても問題ない。その場合、図８での温度割合８０８の部分がなくなるので、温度上昇は、図８よりもより抑えられる。従って、図７のＳ７０２、Ｓ７０４、Ｓ７０６のように、機能の実行を制限するタイミングを段階的に判断する必要はない。Ｓ９０３で記録動作を停止するようＣＰＵ３０２に要求することにより、不慮の充電の停止によるそれまでの情報のメモリへの保存ができなくなるといった事態を回避することができる。
【００４０】
以上のように、本実施形態によれば、インクジェット記録装置の操作部として、二次電池が搭載されたユニット（タブレット１２１）が搭載された状態で記録ヘッドが記録しながら二次電池に充電を行う場合、二次電池の温度上昇を抑制しつつ充電を行うことができ、且つ、記録装置を連続で記録することが可能となる。
【００４１】
また、本実施形態では、図６に示したように、搬送モータというアクチュエータの動作時間に関連した温度上昇に合わせて、タブレットの機能を温度上昇が高い機能から順に制限する制御方法を用いている。しかしながら、搬送モータのみならず、温度上昇によってタブレットに搭載されている二次電池の充電温度に影響を与えるものであれば、搬送モータ以外でも良い。例えば、記録ヘッド２０６の印刷枚数に対する温度上昇値が用いられても良い。また、本実施形態では、インクジェット記録方式を採用する記録装置を説明したが、記録方式はインクジェット記録方式に限られず、電子写真方式等、他の記録方式が採用される記録装置であっても良い。
【符号の説明】
【００４２】
１００  ホストＰＣ：  １２０  インクジェット記録装置：  １２１  操作パネル：  ３０２、４０１  ＣＰＵ：  ３０３、４０３  ＲＯＭ：  ３０４、４０４  ＲＡＭ：  ４０２  バッテリ
【図１】
2019199042.tif 000003
【図２】
2019199042.tif 000004
【図３】
2019199042.tif 000005
【図４】
2019199042.tif 000006
【図５】
2019199042.tif 000007
【図６】
2019199042.tif 000008
【図７】
2019199042.tif 000009
【図８】
2019199042.tif 000010
【図９】
2019199042.tif 000011